(57)【要約】【課題】  既に公開されている出願の最新情報を時系列マップに表示できて、その使い勝手を十分に高めることが可能な特許マップ表示装置を提供する。【解決手段】  少なくとも入力手段と表示手段を有し、入力手段で入力された検索条件に基づいて時系列マップを表示手段に表示し得る特許マップ表示装置であって、表示手段は、全数公開されていない期間の出願に関する情報を、既に全数公開されている期間の出願に関する情報と異なる表示形態で同一時系列マップ上に表示することを特徴とする。【選択図】  図２
2007086985.tif 000002
【特許請求の範囲】
【請求項１】
少なくとも入力手段と表示手段を有し、前記入力手段で入力された検索条件に基づいて時系列マップを前記表示手段に表示し得る特許マップ表示装置であって、
前記表示手段は、全数公開されていない期間の出願に関する情報を、既に全数公開されている期間の出願に関する情報と異なる表示形態で同一時系列マップ上に表示することを特徴とする特許マップ表示装置。
【発明の詳細な説明】
【技術分野】
【０００１】
本発明は、特許情報群の中から所定の検索条件に基づいて抽出された特許情報を時系列マップとして表示し得る特許マップ表示装置に関する。
【背景技術】
【０００２】
従来、特許庁から発行されるＣＤ−ＲＯＭ特許公報等の特許情報を分析する場合、所定の検索式等に基づいて対象特許情報を抽出すると共に、この抽出した対象特許情報に基づき作成された各種の特許マップをディスプレイ等の画面上に表示する特許マップ表示装置が使用されている。この特許マップ表示装置で表示される特許マップのうち、例えばある特定技術分野における出願件数の年度別の推移を図表化したマップとして、時系列マップが使用されている。
【０００３】
この時系列マップは、図３に示すように、縦軸に出願件数を指定すると共に横軸に出願年（もしくは公開年）を指定し、複数の出願人（Ａ社、Ｂ社、Ｃ社）毎の各年度の出願件数をプロット１７ａ〜１７ｃで表示し、この各プロット１７ａ〜１７ｃ間を直線１６ａ〜１６ｃで結ぶことにより、各出願人の出願件数の推移が一目で把握できるようになっている。なお、特許マップに関する特許文献としては、例えば特許文献１に開示のものが知られている。
【特許文献１】特開２００５−１６５８５９号公報
【発明の開示】
【発明が解決しようとする課題】
【０００４】
ところで、このような時系列マップ１５においては、特許出願の公開が出願から１年半後に行われることから、例えば図３に示す時系列マップにおいて、現在が２００４年度の後半（６月以降）とすると、２００２年度の出願は略全数公開されており、当該年度の出願件数は正確にプロット１７ａ〜１７ｃで表示できることになる。しかし、２００３年度と２００４年度の特許出願は全数公開されていないことからマップ上にプロット１７ａ〜１７ｃを表示することができず、各年度を結ぶ直線１６ａ〜１６ｃが２００２年度をもって断ち切られた状態となっている。そのため、特許情報の特に出願件数の伸び等において極めて重要な最新のデータをマップ上から推測（予測）することが困難であり、時系列マップの使い勝手を十分に高めることが難しい。
【０００５】
本発明は、このような事情に鑑みてなされたもので、その目的は、既に公開されている出願の最新情報を時系列マップ上に表示できて、その使い勝手を十分に高めることが可能な特許マップ表示装置を提供することにある。
【課題を解決するための手段】
【０００６】
かかる目的を達成すべく、本発明のうち請求項１に記載の発明は、少なくとも入力手段と表示手段を有し、前記入力手段で入力された検索条件に基づいて時系列マップを前記表示手段に表示し得る特許マップ表示装置であって、前記表示手段は、全数公開されていない期間の出願に関する情報を、既に完全に公開されている期間の出願に関する情報と異なる表示形態で同一時系列マップ上に表示することを特徴とする。
【発明の効果】
【０００７】
請求項１に記載の発明によれば、表示手段が、全数出願公開されていない期間の出願件数等の情報を、既に出願公開されている出願の情報と異なる表示形態で同一時系列マップ上に表示するため、従来、全数公開されていない年度で断ち切られていた直線を現在まで延ばすことができて、最新の情報を時系列マップ上で把握できて、時系列マップの使い勝手を十分に高め、特許情報の高精度な分析作業が可能となる。
【発明を実施するための最良の形態】
【０００８】
以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２が時系列マップの表示状態の説明図である。
【０００９】
図１において、特許マップ表示装置１は、ＣＰＵ３、ＲＡＭ４、ＲＯＭ５及びＩ／Ｏ６等がバスライン７を介して接続されたパソコン本体からなる制御装置２を有している。そして、この制御装置２のＩ／Ｏ６の入力側には、入力手段としてのキーボード８及びマウス９、ＭＯドライブ等を含むＣＤ−ＲＯＭ等ドライブ１０が接続されると共に、各種のデータベース１１が通信回線１２を介して接続されている。また、制御装置２のＩ／Ｏ６の出力側には、表示手段としてのＣＲＴ（液晶ディスプレイを含む）からなる表示器１３と、プリンタ１４等が接続されている。
【００１０】
この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報、あるいは通信回線１２を介して得られたデータベース１１からの特許情報が、キーボード８やマウス９で入力された検索項目等の条件に基づいて検索（抽出）される。そして、この抽出された各種特許情報が、制御装置２のＣＰＵ３に読み込まれてデータ集計されて後述する特許マップが作成され、この特許マップが表示器１３に出力されてその画面１３ａに表示されたり、あるいはプリンタ１４で印刷されるようになっている。
【００１１】
図２は、この特許マップ表示装置１で作成された特許マップとしての時系列マップ１５の具体的な表示状態を示しており、以下、これについて説明する。先ず、時系列マップ１５の作成・表示にあたっては、前記プログラムに基づき表示器１３上に表示される所定の入力画面によって、時系列マップ１５を作成する際に必要な、例えば対象となる出願人や対象とする技術分野（例えばＩＰＣ等の各種分類）、対象とする期間、公開日かあるいは出願日か等の各種条件が入力設定される。
【００１２】
そして、表示器１３の入力画面で所定入力を完了し、同入力画面に設けられた作成表示キー（図示せず）をクリックすると、前記制御装置２によって入力条件（所定のＩＰＣ等）に対応した対象特許情報が抽出され、例えば図２に示すような時系列マップ１５が作成されて、表示器１３の画面１３ａ上に表示される。
【００１３】
すなわち、時系列マップ１５は、縦軸として期間（一般的には年または年度）毎の出願件数が指定され、横軸が期間（一般的には出願年もしくは公開年）が指定され、指定された各出願人（Ａ社、Ｂ社、Ｃ社）について、各期間の件数を所定のプロット１７ａ〜１７ｃ、１８ａ〜１８ｃ（図では黒丸、黒四角、黒三角）で表示し、このプロット１７ａ〜１７ｃ、１８ａ〜１８ｃ間を直線１６ａ〜１６ｃ、１９ａ〜１９ｃで結ぶことにより作成される。この時、既に全数公開されている期間である２００２年までの件数のプロット１７ａ〜１７ｃ間が実線の直線１６ａ〜１６ｃで結ばれ、まだ全数完全に公開されていない期間である２００３年と２００４年のプロット１８ａ〜１８ｃ間が破線の直線１９ａ〜１９ｃで結ばれている。
【００１４】
この時、全数が完全に公開されていない期間のプロット１８ａ〜１８ｃは、時系列マップ１５を作成・表示する時点における出願件数であり、このプロット１８ａ〜１８ｃを結ぶ直線１９ａ〜１９ｃの画面１３ａ上への表示により、時系列マップ１５を作成表示して特許情報を分析する時点において判明している最近までの最新の出願件数の推移が、表示器１３の画面１３ａ上で作業者が一目で把握できることになる。なお、直線１９ａ〜１９ｃ部分のプロット１８ａ〜１８ｃも、直線１６ａ〜１６ｃ部分と同様のプロットに限らず、例えばプロット１８ａ〜１９ｃを白丸、白四角、白三角で表示させて、公開されていない直線部分全体の表示を公開されている部分と区別できるようにして、より一層明瞭に識別化することもできる。
【００１５】
このように、上記実施形態の特許マップ表示装置１によれば、表示器１３の画面１３ａ上に表示された時系列マップ１５に、完全に全数出願公開されていない期間の、時系列マップ１５を作成表示する時点までの出願件数が、全数公開されている期間の時系列マップ上１５に直線１９ａ〜１９ｃで同時に表示されるため、従来、全数公開されてない期間で断ち切られていた直線１６ａ〜１６ｃを現在まで延ばすことができて、この直線１９ａ〜１９ｃにより時系列マップ１５上から、最新の出願件数を分析作業者が一目で簡単に推測（把握）することができる。
【００１６】
特に、直線１９ａ〜１９ｃあるいはプロット１８ａ〜１８ｃが、既に全数出願公開されている期間の直線１６ａ〜１６ｃと異なる表示形態で表示されることから、実際に全数公開されている期間の出願件数に係わる直線か、まだ全数公開されていない期間の出願件数に係わる直線かを作業者が一目で明瞭に把握できる。これらにより、時系列マップ１５の使い勝手を十分に高めることができて、判断に誤解を生じる恐れがなくなり特許情報の高精度な分析作業が可能となる。
【００１７】
また、特許マップ表示装置１をパソコンを利用して構築できるため、予めパソコンにプログラムを組み込みことで、誰でも画面１３ａ上の表示に従い簡単に操作できて、例えば現在公開されているデータベース１１を利用した特許情報の分析を、コスト安価に行うことが可能となる。
【００１８】
なお、上記実施形態においては、時系列マップ１５として、複数の出願人について出願件数の推移を表示したが、本発明に係わる時系列マップはこれに限定されず、例えば、特定の出願人の分類毎の出願件数の推移等、出願年や公開年を基準とした各種の時系列マップ（ポートフォリオマップも含む）に適用することができる。また、時系列マップにおける表示形態も一例であって、例えば各出願人の直線を実線や破線、二点鎖線等の異なる線、あるいは赤線等の異なる色彩や異なる図形で表示する等、本発明の各発明に係わる要旨を逸脱しない範囲において適宜に変更することができる。
【産業上の利用可能性】
【００１９】
本発明は、パソコンを使用して構築した表示装置に限らず、各種端末機を使用した表示装置にも適用できる。
【図面の簡単な説明】
【００２０】
【図１】本発明に係わる特許マップ表示装置の一実施形態を示すブロック図
【図２】同時系列マップの表示状態の説明図
【図３】従来の時系列マップの表示状態の説明図
【符号の説明】
【００２１】
１：特許マップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：データベース
１３：表示器
１３ａ：画面
１５：時系列マップ
１６ａ〜１６ｃ：直線
１７ａ〜１７ｃ：プロット
１８ａ〜１８ｃ：プロット
１９ａ〜１９ｃ：直線
【図１】
2007086985.tif 000003
【図２】
2007086985.tif 000004
【図３】
2007086985.tif 000005